(57)【要約】【課題】本発明は、高コストにならないように、充電式の電気機器のハウジング内に浸入した水がそのハウジングからバッテリパックに到達しないようにすることである。【解決手段】本発明は、ハウジング１１のバッテリ装着部１５に電源となるバッテリパック３０が連結される構成の充電式の電気機器であって、ハウジング１１には、種々の開口部１２ｅ，１２ｘが形成されており、ハウジング１１内には、開口部１２ｅ，１２ｘからハウジング１１内に入り込んだ水がバッテリパック３０側に流れる途中位置に水を吸収可能な吸水部材４０が設けられている。【選択図】図１
2013255960.tif 000002
【特許請求の範囲】
【請求項１】
ハウジングのバッテリ装着部に電源となるバッテリパックが連結される構成の充電式の電気機器であって、
前記ハウジングには、種々の開口部が形成されており、
前記ハウジング内には、前記開口部から前記ハウジング内に入り込んだ水が前記バッテリパック側に流れる途中位置に前記水を吸収可能な吸水部材が設けられていることを特徴とする充電式の電気機器。
【請求項２】
請求項１に記載された充電式の充電式の電気機器であって、
前記吸水部材は、前記ハウジング内に入り込んだ水が前記バッテリパックに到達する前にその吸水部材を経由する位置に配置されていることを特徴とする充電式の電気機器。
【請求項３】
請求項１又は請求項２のいずれかに記載された充電式の電気機器であって、
前記ハウジングの下端位置に前記バッテリ装着部が形成されていることを特徴とする充電式の電気機器。
【請求項４】
請求項１から請求項３のいずれかに記載された充電式の電気機器であって、
前記吸水部材は、前記ハウジングの内壁面に沿った状態で取付けられていることを特徴とする充電式の電気機器。
【請求項５】
請求項１から請求項４のいずれかに記載された充電式の電気機器であって、
前記吸水部材は、前記バッテリ装着部に最も近い位置にある前記開口部よりも、さらに前記バッテリ装着部に近い位置に配置されていることを特徴とする充電式の電気機器。
【請求項６】
請求項１から請求項４のいずれかに記載された充電式の電気機器であって、
前記吸水部材は、各々の前記開口部の近傍に配置されていることを特徴とする充電式の電気機器。
【請求項７】
請求項１から請求項６のいずれかに記載された充電式の電気機器であって、
前記ハウジングの内壁面には、前記吸水部材を位置決めするための位置決めリブが設けられていることを特徴とする充電式の電気機器。
【請求項８】
請求項７に記載された充電式の電気機器であって、
前記位置決めリブは、前記水を吸水部材側に導く案内リブとして機能することを特徴とする充電式の電気機器。
【発明の詳細な説明】
【技術分野】
【０００１】
本発明は、ハウジングのバッテリ装着部に電源となるバッテリパックが連結される構成の充電式の電気機器に関する。
【背景技術】
【０００２】
これに関連する従来の電動工具が特許文献１に記載されている。
特許文献１に記載の電動工具は充電式の電動ドリルドライバーであり、図６に示すように、筒状のハウジング本体部１０２と、そのハウジング本体部１０２の下面から下方に突出するグリップ部１０３とからなる工具ハウジング１００を備えている。そして、工具ハウジング１００のハウジング本体部１０２に駆動源となるモータ及び減速機等が収納されている。ハウジング本体部１０２には、前記モータ等を冷却するための外気を導入するための風穴と、冷却後の外気を排出するための風穴とが設けられている。
また、工具ハウジング１００のグリップ部１０３の下端部にはバッテリパック（図示省略）が連結されるバッテリ装着部１０３ｂが設けられており、そのバッテリ装着部１０３ｂの内側に前記モータの制御回路基板１０４が配置されている。さらに、工具ハウジング１００のグリップ部１０３とハウジング本体部１０２との境界位置には、切替えスイッチ１０５ｃやトリガー式の変速スイッチ１０５ｔが設けられている。
【０００３】
上記した電動ドリルドライバーでは、工具ハウジング１００に複数の風穴やスイッチ類１０５ｃ，１０５ｔを取付けるための開口が設けられているため、例えば、屋外の作業中に突然雨が降った場合等には、水が風穴等を通ってその工具ハウジング１００内に浸入することがある。
特許文献１に記載の電動ドリルドライバーでは、工具ハウジング１００内に浸入した水が制御回路基板１０４側に流れ込まないようにするため、制御回路基板１０４を収納する区画の上部を弾性体１０７によりシールしている。
【先行技術文献】
【特許文献】
【０００４】
【特許文献１】特開２００５−１６９５３２号公報
【発明の概要】
【発明が解決しようとする課題】
【０００５】
しかし、制御回路基板１０４を収納する区画の上部には、モータ、スイッチ類１０５ｃ，１０５ｔ等と制御回路基板１０４とを電気的に接続するための複数本の配線が通されるため、それらの配線と弾性体１０７との間に微小な隙間が形成される。したがって、この部分のシールを確実に行なうためには、弾性体１０７と配線との隙間を、例えば、シリコンボンド等で埋める必要がある。このため、シール対策に手間が掛かりコストアップの要因となっている。
【０００６】
本発明は、上記問題点を解決するためになされたものであり、本発明が解決しようとする課題は、高コストにならないように、充電式の電気機器のハウジング内に浸入した水がそのハウジングからバッテリパックに到達しないような対策を施すことである。
【課題を解決するための手段】
【０００７】
上記した課題は、各請求項の発明によって解決される。
請求項１の発明は、ハウジングのバッテリ装着部に電源となるバッテリパックが連結される構成の充電式の電気機器であって、前記ハウジングには、種々の開口部が形成されており、前記ハウジング内には、前記開口部から前記ハウジング内に入り込んだ水が前記バッテリパック側に流れる途中位置に前記水を吸収可能な吸水部材が設けられていることを特徴とする。
ここで、前記開口部とは、水が浸入可能な開口部を言い、外から水が入り込まないように構成された排水通路等は含まないものとする。
【０００８】
本発明によると、ハウジングの開口部からそのハウジング内に入り込んだ水がバッテリパック側に流れても、その水が途中で吸水部材により吸収される。このため、ハウジング内に浸入した水がそのハウジングを経由してバッテリパックに到達するようなことがなくなる。
また、ハウジング内に吸水部材を配置する構成のため、シール対策と比べて手間が掛からず、コストを抑えることができる。
【０００９】
請求項２の発明によると、吸水部材は、ハウジング内に入り込んだ水がバッテリパックに到達する前にその吸水部材を経由する位置に配置されていることを特徴とする。
即ち、ハウジング内に入り込んだ水が吸水部材を経由することになるため、バッテリパック側に流れようとする水を確実に止めることができる。
請求項３の発明によると、ハウジングの下端位置に前記バッテリ装着部が形成されていることを特徴とする。
【００１０】
請求項４の発明によると、吸水部材は、ハウジングの内壁面に沿った状態で取付けられていることを特徴とする。
このため、ハウジングの内壁面を伝ってバッテリパック側に流れる水を効率的に吸収できるようになる。
請求項５の発明によると、吸水部材は、バッテリ装着部に最も近い位置にある開口部よりも、さらにバッテリ装着部に近い位置に配置されていることを特徴とする。
即ち、全ての開口部が吸水部材より上流側に配置されているため、どの開口部から入り込んだ水でも一箇所の吸収部材によって確実に吸収できる。
請求項６の発明によると、吸水部材は、各々の開口部の近傍に配置されていることを特徴とする。
【００１１】
請求項７の発明によると、ハウジングの内壁面には、吸水部材を位置決めするための位置決めリブが設けられていることを特徴とする。
このため、吸水部材の取付けが容易になる。
請求項８の発明によると、位置決めリブは、水を吸水部材側に導く案内リブとして機能することを特徴とする。
このため、位置決めリブを利用して水を吸水部材側に導けるようになる。
【発明の効果】
【００１２】
本発明によると、低コストで充電式の電気機器のハウジング内に浸入した水がそのハウジングからバッテリパックに到達しないような対策を施すことができる。
【図面の簡単な説明】
【００１３】
【図１】本発明の実施形態１に係る充電式の電動工具のハウジング内部を表す全体側面図である。
【図２】前記充電式の電動工具の背面図である。
【図３】図１のIII矢視拡大図である。
【図４】図３のIV-IV矢視断面図である。
【図５】変更例に係る吸水リングを表す側面図（Ａ図、Ｂ図）である。
【図６】従来の充電式電動工具の一部破断縦断面図である。
【発明を実施するための形態】
【００１４】
［実施形態１］
以下、図１から図５に基づいて、本発明の実施形態１に係る充電式の電動工具１０の説明を行なう。
ここで、図中の前後左右、及び上下は、本実施形態に係る電動工具１０の前後左右、及び上下に対応している。
【００１５】
＜電動工具１０の全体構成について＞
前記電動工具１０は、充電式のインパクトドライバであり、工具ハウジング１１の下端位置にバッテリパック３０が着脱可能なように構成されている。
工具ハウジング１１は、図１、図２に示すように、筒状のハウジング本体部１２と、そのハウジング本体部１２の下端面から下方向に突出するように形成されたグリップ部１４とにより側面略Ｔ字形に構成されている。そして、ハウジング本体部１２の筒状部分とグリップ部１４とが半割り状の左ハウジング片１１Ｌと右ハウジング片１１Ｒを幅方向中央位置で相互に嵌め合わせることにより形成される。また、ハウジング本体部１２の後開口部が、図２に示すように、略楕円状をした後部ハウジング片１１Ｂによって塞がれるようになっている。
【００１６】
ハウジング本体部１２には、電動工具１０の駆動源であるモータ、歯車機構、及び打撃力発生機構（図示省略）等がハウジング本体部１２とほぼ同軸になるように収納されている。そして、ハウジング本体部１２の前端部からアンビル１７が軸方向に突出しており、そのアンビル１７の先端部にドライバビットやソケットビット等（図示省略）を装着するためのチャック部１７ｔが設けられている。
ハウジング本体部１２の後開口部を塞ぐ後部ハウジング片１１Ｂには、図２に示すように、前記モータ冷却用の外気が吸引される複数の吸引穴１２ｅが形成されている。また、ハウジング本体部の左右の側壁部には、図１に示すように、モータ冷却後の空気を排出するための複数の排気穴１２ｘが設けられている。
【００１７】
工具ハウジング１１のグリップ部１４は、使用者が電動工具１０を使用する際に把持する部分であり、握り部位１４ｈと、その握り部位１４ｈよりも突出端（下端）に位置するバッテリ装着部１５とから構成されている。握り部位１４ｈは、使用者が握り易いように比較的小径に形成されており、その握り部位１４ｈの上端部にトリガ式の変速スイッチ２２が設けられている。変速スイッチ２２は、スイッチ本体２２ｍとトリガ２２ｔとを備えており、前記スイッチ本体２２ｍに対するトリガ２２ｔの押し込み量に応じてモータの回転速度を増減させられるように構成されている。変速スイッチ２２のスイッチ本体２２ｍはグリップ部１４（握り部位１４ｈ）の内側上端部に固定されており、トリガ２２ｔがグリップ部１４の上端部前側に形成されたトリガ用開口１４ｆから前方に突出している。
【００１８】
また、グリップ部１４の上端には、変速スイッチ２２のスイッチ本体２２ｍの上方に切替えスイッチ２４が設けられている。切替えスイッチ２４は、モータの回転方向を切替えるスイッチであり、グリップ部１４の側面開口１４ｓから切替えスイッチ２４の操作部２４ｈが突出している。
グリップ部１４の下端に形成されたバッテリ装着部１５は、図４等に示すように、前記グリップ部１４に対して幅方向（左右方向）及び前方に広がる角形蓋状に形成されている。バッテリ装着部１５は、そのバッテリ装着部１５に対してバッテリパック３０が前後方向に水平スライドすることで、前記バッテリパック３０が連結されるように構成されている。そして、バッテリ装着部１５に対してバッテリパック３０が連結された状態で、電動工具１０の電気回路とバッテリパック３０の電気回路とが電気的に接続されるようになる。
前記バッテリ装着部１５の前部内側には、図１、図３に示すように、電動工具１０の制御回路部２６が水平に取付けられている。
このように、ハウジング本体部１２の吸引穴１２ｅ、排気穴１２ｘ、及びグリップ部１４のトリガ用開口１４ｆ、側面開口１４ｓ等が本発明の開口部に相当する。また、トリガ用開口１４ｆが本発明におけるバッテリ装着部に最も近い位置にある開口部に相当する。
【００１９】
＜吸水リング４０について＞
工具ハウジング１１のグリップ部１４の内部には、変速スイッチ２２のスイッチ本体２２ｍの下方位置に吸水リング４０がほぼ水平に設けられている。
吸水リング４０は、雨滴や結露等の水分を吸水可能な発泡体である吸水シートをリング状に加工したもので、例えば、ポリエチレン等の発泡体から構成されている。なお、吸水リング４０は、飽和状態まで吸水しても乾燥により自然に元の状態まで戻れるようになっている。
吸水リング４０は、図４に示すように、その吸水リング４０の外周面４３が工具ハウジング１１のグリップ部１４の内壁面１４ｋに面接触するように、そのグリップ部１４の平断面形状に合わせて扁平リング状に形成されている。そして、吸水リング４０は、図１、図３に示すように、グリップ部１４の高さ方向略中央位置でほぼ水平にセットされるようになっている。また、吸水リング４０の中央開口４１（図４参照）には、図３等に示すように、電源線２５や信号線（図示省略）が通されるようになっている。
【００２０】
吸水リング４０の後部左右両側には、図４に示すように、左右対称に略台形状の突起４４が形成されている。そして、吸水リング４０の左右の突起４４がそれぞれグリップ部１４の内壁面１４ｋに形成された左右の位置決め溝１４ｕと嵌合可能に構成されている。また、吸水リング４０の左側には、位置決め用のＵ字形切欠き４５が形成されている。そして、吸水リング４０のＵ字形切欠き４５がグリップ部１４の左側の内壁面１４ｋに形成された位置決めリブ１４ｒに嵌め込まれるようになっている。このように、吸水リング４０のＵ字形切欠き４５とグリップ部１４の位置決めリブ１４ｒとの働きで、吸水リング４０を上下逆にした状態でセットするような誤組付けを防止できる。
さらに、グリップ部１４の内壁面１４ｋに形成された位置決めリブ１４ｒは、グリップ部１４の上端から下方に延びるように形成されており、ハウジング本体部１２内に入り込んだ水滴を吸水リング４０まで導けるように構成されている。
即ち、前記吸水リング４０が本発明の吸水部材に相当する。
【００２１】
＜シール部材５０について＞
吸水リング４０の下方には、バッテリ装着部１５の上方の位置でグリップ部１４の内部空間を上下に仕切るゴム製のシール部材５０が設けられている。シール部材５０は、図３等に示すように、前側の上部仕切り部５２と、後側の下部仕切り部５４と、それらの仕切り部５２，５４を段差状につなぐ縦壁部５６とにより側面略Ｓ字形に形成されている。そして、シール部材５０の上部仕切り部５２の位置に、電源線２５や信号線（図示省略）が通される配線口５２ｈが形成されている。
また、グリップ部１４の後端下部には、シール部材５０よりも上側の空間と連通する排水通路１４ｚが形成されている。排水通路１４ｚは、シール部材５０の縦壁部５６とグリップ部の後部の内壁面１４ｋとにより形成されるポケット状の空間Ｓ内に溜まった水を排出する通路であり、外部開放位置が最下部となるように側面略Ｊ字形に形成されている。
【００２２】
＜電動工具１０の吸水リング４０等の働きについて＞
例えば、屋外の作業中に突然雨に降られ、雨滴が風穴等を通ってその工具ハウジング１１内に浸入すると、その雨滴はハウジング本体部１２の内壁面を伝ってグリップ部１４に至り、そのグリップ部１４の内壁面１４ｋに沿って下方に移動する。前述のように、グリップ部１４の高さ方向略中央位置には、そのグリップ部１４の内壁面１４ｋの面接触するように吸水リング４０が設けられているため、前記グリップ部１４の内壁面１４ｋを伝って下降してきた雨滴は吸水リング４０に吸収される。これにより、工具ハウジング１１内に浸入した雨滴等がその工具ハウジング１１を経由してバッテリパック３０に到達するようなことがなくなる。
また、仮に、吸水リング４０が飽和状態となっても、吸水リング４０を通過した水はシール部材５０に遮られることで、バッテリパック３０側に流れ難くなる。そして、シール部材５０に遮られた水は、シール部材５０の縦壁部５６にガイドされて排水通路１４ｚに至り、その排水通路１４ｚにより外部に排出される。
【００２３】
＜本実施形態に係る電動工具１０の長所について＞
本実施形態に係る電動工具１０によると、工具ハウジング１１の吸引穴１２ｅ等（開口部）からその工具ハウジング１１内に入り込んだ水がバッテリパック３０側に流れても、その水が途中で吸水リング４０（吸水部材）により吸収される。このため、工具ハウジング１１内に浸入した水がその工具ハウジング１１を経由してバッテリパック３０に到達するようなことがなくなる。
また、工具ハウジング１１内に吸水リング４０（吸水部材）を配置する構成のため、シール対策と比べて手間が掛からず、コストを抑えることができる。
また、吸水リング４０は工具ハウジング１１（グリップ部１４）の内壁面１４ｋに沿った状態で取付けられているため、グリップ部１４の内壁面１４ｋを伝ってバッテリパック３０側に流れる水を効率的に吸収できるようになる。
また、グリップ部１４の内壁面１４ｋには、吸水リング４０を位置決めするための位置決めリブ１４ｒが設けられているため、吸水リング４０の取付けが容易になる。さらに、位置決めリブ１４ｒは、水を吸水リング４０側に導く案内リブとして機能するため、位置決めリブ１４ｒを利用して水を吸水リング４０に導けるようになる。
【００２４】
＜変更例＞
ここで、本発明は上記実施形態に限定されるものではなく、本発明の要旨を逸脱しない範囲における変更が可能である。例えば、本実施形態では、吸水リング４０に位置決め用のＵ字形切欠き４５を形成して、このＵ字形切欠き４５にグリップ部１４の内壁面１４ｋに形成された位置決めリブ１４ｒを嵌め込む例を示した。しかし、図５（Ａ）に示すように、吸水リング４０をグリップ部１４の位置決めリブ１４ｒが存在しない位置に配置して、その吸水リング４０の位置決め用のＵ字形切欠き４５を省略することも可能である。また、図５（Ｂ）に示すように、グリップ部１４の位置決めリブ１４ｒを避けるように、吸水リング４０を側面形状略段差状に形成して、その吸水リング４０の位置決め用のＵ字形切欠き４５を省略することも可能である。
さらに、本実施形態では、工具ハウジング１１のグリップ部１４における高さ方向略中央位置の一箇所に吸水リング４０を設ける例を示した。しかし、工具ハウジング１１の各々の開口部、即ち、吸引穴１２ｅ、排気穴１２ｘ、トリガ用開口１４ｆ、及び側面開口１４ｓの各々を囲むように吸水リング４０を設けることも可能である。
また、本実施形態では、吸水リング４０を例示したが、吸水リング４０の代わりに吸水シートを設けるようにすることも可能である。さらに、吸水リング４０を周方向の一箇所、あるいは複数箇所で切り離した形状に成形することも可能である。また、吸水リング４０を一枚ではなく、複数枚設けることも可能である。
また、本実施形態では、吸水リング４０とシール部材５０とを個別に設ける例を示したが、吸水リング４０とシール部材５０とを一体化することも可能である。
また、本実施形態では、充電式の電動工具１０に本発明を適用する例を示したが、充電式の電動工具１０の代わりに充電式の草刈機や刈り込み機、あるいは充電式の送風機等に本発明を適用することも可能である。
【符号の説明】
【００２５】
１０・・・・電動工具
１２・・・・ハウジング本体部
１２ｅ・・・吸引穴（開口部）
１２ｘ・・・排気穴（開口部）
１４ｆ・・・トリガ用開口（開口部）
１４ｓ・・・側面開口（開口部）
１４ｒ・・・位置決めリブ
１４ｋ・・・内壁面
１４・・・・グリップ部
１５・・・・バッテリ装着部
３０・・・・バッテリパック
４０・・・・吸水リング（吸水部材）
【図１】
2013255960.tif 000003
【図２】
2013255960.tif 000004
【図３】
2013255960.tif 000005
【図４】
2013255960.tif 000006
【図５】
2013255960.tif 000007
【図６】
2013255960.tif 000008